(57)【要約】      （修正有）【課題】電池の交換及び充電の手間を軽減する。【解決手段】本発明は、無線通信装置及び二次電池を備え、表面に氏名が記載されている電子機器において、太陽電池を表面に備え、表示装置を裏面に備え、前記太陽電池は、前記表示装置に対して、上側の距離が狭くなるように傾けて設置される。前記電子機器は、底面の厚みより上面の厚みが薄い。前記二次電池は、前記電子機器の中心より下側に設置されている。前記二次電池は、リチウムイオン二次電池である。【選択図】  図４
2007020051.tif 000002
【特許請求の範囲】
【請求項１】
無線通信装置及び二次電池を備え、表面に氏名が記載されている電子機器において、
太陽電池を表面に備え、
表示装置を裏面に備え、
前記太陽電池は、前記表示装置に対して、上側の距離が狭くなるように傾けて設置されていることを特徴とする電子機器。
【請求項２】
前記二次電池は、前記電子機器の中心より下側に設置されていることを特徴とする請求項１に記載の電子機器。
【請求項３】
底面の厚みより上面の厚みが薄いことを特徴とする請求項１に記載の電子機器。
【請求項４】
前記二次電池は、リチウムイオン二次電池であることを特徴とする請求項１に記載の電子機器。
【請求項５】
操作スイッチを裏面に備え、
前記操作スイッチが操作されると、前記表示装置が非表示状態となることを特徴とする請求項１に記載の電子機器。
【請求項６】
太陽電池及び表示装置と重ならないように、アンテナを備えることを特徴とする請求項１に記載の電子機器。
【請求項７】
太陽電池の発電する電圧を測定し、
測定した電圧に基づいて、周囲の照度算出することを特徴とする請求項１に記載の電子機器。
【請求項８】
無線通信装置及び二次電池を備え、表面に氏名が記載されている電子機器と、前記電子機器と通信するサーバと、前記電子機器と前記サーバとの通信を中継する基地局と、を備えるセンサネットシステムにおいて、
前記電子機器は、
太陽電池を表面に備え、
表示装置を裏面に備え、
前記太陽電池は、前記表示装置に対して、上側の距離が狭くなるように傾けて設置されていることを特徴とするセンサネットシステム。
【請求項９】
前記電子機器は、ユーザから入力された情報を、前記サーバに送信することを特徴とする請求項８に記載のセンサネットシステム。
【請求項１０】
前記電子機器は、
周囲の状況を測定するセンサを備え、
前記センサが測定した周囲の状況を、前記サーバに送信することを特徴とする請求項８に記載のセンサネットシステム。
【請求項１１】
前記サーバは、前記電子機器から受信した情報を、他の電子機器に転送することを特徴とする請求項８に記載のセンサネットシステム。
【請求項１２】
前記サーバは、
前記電子機器から受信した情報に対する処理の内容を管理するイベントアクション情報を記憶し、
前記電子機器から情報を受信すると、前記イベントアクション情報に基づいて、当該情報に対する処理内容を判定し、
前記判定した処理を行うことを特徴とする請求項８に記載のセンサネットシステム。
【請求項１３】
無線通信装置及び二次電池を備え、表面に氏名が記載されている電子機器と、前記電子機器と通信するサーバと、前記電子機器と前記サーバとの通信を中継する基地局と、前記電子機器と前記基地局との無線通信の電波を検出する受信機と、を備えるセンサネットシステムにおいて、
前記電子機器は、
太陽電池を表面に備え、
表示装置を裏面に備え、
前記太陽電池は、前記表示装置に対して、上側の距離が狭くなるように傾けて設置されることを特徴とするセンサネットシステム。
【請求項１４】
前記受信機は、前記電子機器と前記基地局との無線通信の電波を検出すると、検出通知をサーバに送信し、
前記サーバは、前記受信した検出通知に基づいて、前記電子機器の位置を判定することを特徴とする請求項１３に記載のセンサネットシステム。
【発明の詳細な説明】
【技術分野】
【０００１】
本発明は、無線で通信する電子機器に関し、特に、人に携帯される電子機器に関する。
【背景技術】
【０００２】
近年、センサノード及びサーバから構成されるセンサネットシステムの開発が進められている。センサノードは、人等に付随され、当該人の状態等（センサデータ）を測定する。そして、センサノードは、測定したセンサデータをサーバに送信する。サーバは、受信したセンサデータに基づいて、各種処理を実行する。
【０００３】
従来のセンサノードは、一次電池又は二次電池を電源として備える。
【０００４】
しかし、一次電池は、電池を交換しなければならないという問題があった。また、二次電池は、充電をしなければならないという問題があった。
【０００５】
そこで、この問題を解決するノードが知られている（例えば、特許文献１参照。）。このノードは、太陽電池及び二次電池を備え、太陽電池で発電した電力を二次電池に充電する。
【特許文献１】特開平０８−２２３０６７号公報
【発明の開示】
【発明が解決しようとする課題】
【０００６】
しかし、従来のノードでは、太陽電池が発電する電力が弱いので、二次電池に十分な電力を供給できなかった。そのため、従来のノードは、太陽電池を備えていても、外部から二次電池を充電する必要があった。
【０００７】
本発明は、前記の問題点に鑑みてなされたものであり、電池の交換及び充電の不要なノードを提供することを目的とする。
【課題を解決するための手段】
【０００８】
本発明は、無線通信装置及び二次電池を備え、表面に氏名が記載されている電子機器において、太陽電池を表面に備え、表示装置を裏面に備え、前記太陽電池は、前記表示装置に対して、上側の距離が狭くなるように傾けて設置されることを特徴とする。
【発明の効果】
【０００９】
本発明によると、電池の交換及び充電が不要となる。
【発明を実施するための最良の形態】
【００１０】
本発明の実施の形態を図面を参照して説明する。
【００１１】
（第１の実施の形態）
図１は、本発明の第１の実施の形態のセンサネットシステムのブロック図である。
【００１２】
センサネットシステムは、名札型ノード１００、サーバ２００、基地局３００及びネットワーク６００を含む。
【００１３】
名札型ノード１００は、図２〜図６で後述するが、基地局３００を介してサーバ２００と通信する電子機器である。また、名札型ノード１００は、表面に氏名等が記載されることによって、名札として機能する。例えば、名札型ノード１００は、首からぶら下げられたり、洋服にクリップ等で取り付けられたりする。また、名札型ノード１００は、展示会場、講演会場、会社、病院又は公的施設などで携帯される。
【００１４】
ネットワーク６００は、サーバ２００と基地局３００とを接続する。
【００１５】
基地局３００は、名札型ノード１００と無線通信する。基地局３００は、名札型ノード１００から受信したデータを、サーバ２００に転送する。同様に、基地局３００は、サーバ２００から受信したデータを、名札型ノード１００に転送する。
【００１６】
なお、名札型ノード１００が、基地局３００の機能を備えていてもよい。この場合、当該名札型ノード１００は、他の名札型ノード１００から受信したデータを、サーバ２００に転送する。
【００１７】
サーバ２００は、図９で後述するイベントアクション制御部を含む計算機である。
【００１８】
図２は、本発明の第１の実施の形態の名札型ノード１００のブロック図である。
【００１９】
名札型ノード１００は、太陽電池１０２、二次電池１１２、充電端子１１５、電源基盤１１３、ＲＦ基板１０５、マイコン１１６、センサ１１７及びアンテナ１０６を備える。
【００２０】
太陽電池１０２は、太陽光から電力を取り出すことによって、発電する。なお、名札型ノード１００は、太陽電池１０２の代わりに、他の方法で発電する発電装置を備えていてもよい。
【００２１】
二次電池１１２は、名札型ノード１００に電力を供給する。なお、二次電池１１２は、充電時の電流及び電圧に定格がある。また、二次電池１１２は、放電時の電流及び放電時の電圧に定格がある。二次電池１１２は、例えば、リチウムイオン電池である。リチウムイオン電池は、単位体積あたりの容量が大きく、且つ、充電時のメモリ効果がないので、二次電池１１２に最適である。
【００２２】
充電端子１１５は、外部の電源に接続されると、二次電池１１２を充電する。
【００２３】
電源基板１１３は、ダイオード１１８、過充電防止回路１１９、過放電防止回路１２０、レギュレータ１２１及び分圧回路１２２を含む。
【００２４】
ダイオード１１８は、一方向にのみ電流を流す半導体である。
【００２５】
過充電防止回路１１９は、二次電池１１２の過充電を防止する。過放電防止回路１２０は、二次電池１１２の過放電を防止する。
【００２６】
レギュレータ１２１は、ＲＦ基板１０５、マイコン１１６及びセンサ１１７に供給する電圧を一定にする。
【００２７】
分圧回路１２２は、太陽電池１０２の電圧と二次電池１１２の電圧とを一定の比率にする。具体的には、分圧回路１２２は、太陽電池１０２の電圧又は二次電池１１２の電圧を、マイコン１１６が測定できる電圧に設定する。
【００２８】
ＲＦ基板１０５は、無線通信のための回路を搭載する。そして、ＲＦ基板１０５は、アンテナ１０６を介して、基地局３００と無線通信する。
【００２９】
マイコン１１６は、名札型ノード１００の全体を制御する。例えば、マイコン１１６は、二次電池１１２の電圧を測定する。そして、測定した二次電池１１２の電圧から、当該二次電池１１２の充電時期を推定する。
【００３０】
また、マイコン１１６は、太陽電池１０２の電圧を測定する。次に、測定した太陽電池１０２の電圧から、名札型ノード１００の周囲の照度を求める。そして、求めた照度が低い場合、低消費電力となるように、名札型ノード１００を制御してもよい。
【００３１】
また、マイコン１１６は、所定の周期で起動し、それ以外のときにはスリープ状態であってもよい。これによって、マイコン１１６の消費電力を低減できる。
【００３２】
センサ１１７は、温度、湿度又は加速度などの各種情報を測定する。
【００３３】
次に、名札型ノード１００の電力の流れについて説明する。
【００３４】
太陽電池１０２が発電した電力は、ダイオード１１８及び過充電防止回路１１９を通って、二次電池１１２に充電される。
【００３５】
また、二次電池１１２に充電された電力は、ダイオード１１８、過放電防止回路１２０及びレギュレータ１２１を通って、ＲＦ基板１０５、マイコン１１６及びセンサ１１７に供給される。
【００３６】
また、太陽電池１０２の電圧を二次電圧１１２の電圧より高く設定しておくことによって、太陽電池１０２は、ＲＦ基板１０５、マイコン１１６及びセンサ１１７に電力を直接供給してもよい。
【００３７】
つまり、本実施の形態の名札型ノード１００は、太陽電池１０２を備えることによって、電池を交換及び充電する必要がなくなる。センサネットシステムは、名札型ノード１００を多数備えるので、特に有効である。
【００３８】
図３Ａは、本発明の第１の実施の形態の名札型ノード１００の正面図である。
【００３９】
名札型ノード１００の表面には、太陽電池１０２、ＬＥＤ１０３、ＲＦ基板１０５及びアンテナ１０６が設置されている。
【００４０】
ＬＥＤ１０３は、所定の条件を満たすと、発光する。例えば、ＬＥＤ１０３は、名札型ノード１００がサーバ２００から情報を受信すると、発光する。これによって、ＬＥＤ１０３は、情報の受信をユーザに通知できる。
【００４１】
なお、太陽電池１０２、ＬＥＤ１０３及びアンテナ１０６は、名札型ノード１００のブロック図（図２）で説明したので、説明を省略する。
【００４２】
なお、アンテナ１０６は、太陽電池１０２及びＬＣＤ１０７から遠い位置に設置される。特に、アンテナ１０６は、正面からみて、太陽電池１０２及びＬＣＤ１０７と重ならないように設置される。なぜなら、太陽電池１０２及びＬＣＤ１０７は、アンテナ１０６の通信の障害になるからである。
【００４３】
図３Ｂは、本発明の第１の実施の形態の名札型ノード１００の背面図である。
【００４４】
名札型ノード１００の裏面には、ＬＣＤ１０７、操作用スイッチ１０８、リセットスイッチ１１０、ブザー１１１、二次電池１１２、電源基板１１３、電源スイッチ１１４、充電端子１１５、マイコン１１６及びセンサ１１７が設置されている。
【００４５】
ＬＣＤ１０７は、各種情報を表示する液晶ディスプレイである。なお、名札型ノード１００は、ＬＣＤ１０７の代わりに、他のディスプレイを備えていてもよい。
【００４６】
操作用スイッチ１０８は、ユーザによって操作されるスイッチである。ユーザは、操作スイッチ１０８を操作することによって、名札型ノード１００に各種情報を入力する。また、ユーザは、操作スイッチ１０８を操作することによって、ＬＣＤ１０７の表示又は非表示を切り替える。これによって、ＬＣＤ１０７の消費電力を低減できる。
【００４７】
リセットスイッチ１１０は、ユーザによって操作されると、名札型ノード１００をリセットする。
【００４８】
ブザー１１１は、所定の条件を満たすと、発音する。例えば、ブザー１１１は、名札型ノード１００がサーバ２００から情報を受信すると、発音する。これによって、ブザー１１１は、情報の受信をユーザに通知できる。
【００４９】
電源スイッチ１１４は、名札型ノード１００の電源のＯＮ／ＯＦＦを切り換える。
【００５０】
なお、二次電池１１２、電源基板１１３、充電端子１１５、マイコン１１６及びセンサ１１７は、名札型ノード１００のブロック図（図２）で説明したので、説明を省略する。
【００５１】
名札型ノード１００は、ＬＣＤ１０７及び操作用スイッチ１０８等を裏面に備えることによって、面積の大きい太陽電池１０２を表面に備えることができる。これによって、太陽電池１０２の発電電力量を大きくできる。
【００５２】
図４は、本発明の第１の実施の形態の名札型ノード１００の側面図である。
【００５３】
太陽電池１０２は、上向きに傾けて設置される。具体的には、太陽電池１０２は、ＬＣＤ１０７に対して、上側の距離が狭くなるように傾けて設置される。これによって、太陽電池１０２は、採光率を高めることができるので、大きい電力を発電できる。例えば、ＬＣＤ１０７に対して角度５°傾けて設置された太陽電池１０２は、ＬＣＤ１０７と平行に設置された太陽電池より、３〜４割大きい電力を発電できる。
【００５４】
名札型ノード１００は、底面の厚みよりも上面の厚みを薄くする。これによって、名札型ノード１００は、上向きに傾いた太陽電池１０２を備えても、ユーザに違和感を与えない。
【００５５】
また、二次電池１１２は、名札型ノード１００又は太陽電池１０２の中心より下側に設置される。名札型ノード１００は、厚みがある二次電池１１２を下側に備えることによって、上面の厚みを薄くできる。
【００５６】
なお、名札型ノード１００は、図５のような形態であってもよい。
【００５７】
図５は、本発明の第１の実施の形態の名札型ノード１００の側面図である。
【００５８】
本説明図の名札型ノード１００は、図４の名札型ノードと異なり、厚みが一定である。それ以外の構成は、図４の名札型ノードと同一であり、説明を省略する。
【００５９】
つまり、太陽電池１０２は、名札型ノード１００の厚みに関わらず、上向きに傾けて設置されることによって、大きい電力を発電できる。
【００６０】
図６は、本発明の第１の実施の形態の名札型ノード１００の説明図である。
【００６１】
太陽電池１０２の前面には、透明フィルム１４０が設置される。透明フィルム１４０には、所属や氏名等を含む情報が記載される。これによって、名札型ノード１００は、名札として機能する。また、名札型ノード１００は、太陽電池１０２の前面の透明フィルム１４０に情報が記載されることによって、面積の大きい太陽電池１０２を備えることができる。
【００６２】
また、太陽電池１０２以外の部分の前面は、透明でなくてもよい。例えば、太陽電池１０２以外の部分の前面には、会社のロゴ１３０などが記載される。
【００６３】
図７は、本発明の第１の実施の形態の名札型ノード１００の電力の説明図である。
【００６４】
本説明図は、太陽電池１０２の発電電力量が、名札型ノード１００の消費電力量を上回っている場合である。
【００６５】
本説明図は、太陽電池１０２の発電電力量に関するグラフ、名札型ノード１００の消費電力量に関するグラフ及び二次電池１１２の電圧に関するグラフを含む。これらのグラフの横軸は、時間である。
【００６６】
本説明図によると、太陽電池１０２の発電電力量は、時間によって、大きく変化する。一方、名札型ノード１００は、所定の間隔で動作するので、所定の間隔で電力を消費する。
【００６７】
本説明図では、太陽電池１０２の発電電力量が名札型ノード１００の消費電力量を上回っているので、二次電池１１２の電圧は、ほぼ一定に保たれている。この場合、名札型ノード１００は、外部からの充電が不要である。
【００６８】
図８は、本発明の第１の実施の形態の名札型ノード１００の電力の説明図である。
【００６９】
本説明図は、太陽電池１０２の発電電力量が、名札型ノード１００の消費電力量を下回っている場合である。
【００７０】
本説明図は、太陽電池１０２の発電電力量に関するグラフ、名札型ノード１００の消費電力量に関するグラフ及び二次電池１１２の電圧に関するグラフを含む。これらのグラフの横軸は、時間である。
【００７１】
本説明図では、太陽電池１０２の発電電力量が名札型ノード１００の消費電力量を下回っているので、二次電池１１２の電圧は、徐々に低下していく。この場合、名札型ノード１００は、外部からの充電が必要となる。
【００７２】
図９は、本発明の第１の実施の形態のサーバ２００のイベントアクション制御部２０１のブロック図である。
【００７３】
イベントアクション制御部２０１は、イベントアクション登録インタフェース２０２、アクション実行部２０３、イベント条件判定部２０４、センシングデータ検出部２０５、イベントアクション検索部２０６及びイベントアクションテーブル２１０を備える。
【００７４】
まず、イベントアクションテーブル２１０について説明する。
【００７５】
図１０は、本発明の第１の実施の形態のイベントアクションテーブル２１０の構成図である。
【００７６】
イベントアクションテーブル２１０は、ノードＩＤ２１０１、イベント内容２１０２、条件２１０３及びアクション２１０４を含む。
【００７７】
ノードＩＤ２１０１は、名札型ノード１００の一意な識別子である。
【００７８】
イベント内容２１０２及び条件２１０３は、当該レコードのイベントを発生させる条件である。
【００７９】
イベント内容２１０２は、イベントアクション制御部が受信したセンサデータの種類である。例えば、イベント内容２１０２には、質問・回答受信（レコード２１０５）又は位置情報受信（レコード２１０６）等が格納される。
【００８０】
条件２１０３は、イベントアクション制御部が受信したセンサデータが当該レコードに該当するための条件である。条件２１０３には、センサデータの宛先情報（レコード２１０５）又はセンサデータを送信した名札型ノード１００の位置情報（レコード２１０６）等が格納される。また、条件２１０３には、センサデータの測定時間又はセンサデータの変化量等の他の条件が格納されてもよい。
【００８１】
アクション２１０４は、イベント時の処理内容である。アクション２１０４は、例えば、メッセージの転送処理（レコード２１０５）であったり、警告メッセージの送信処理（レコード２１０６）である。なお、メッセージの転送処理は、図１３で後述する。アクション２１０４には、その他の処理内容が格納されていてもよい。
【００８２】
ここで、図９に戻る。
【００８３】
管理ユーザは、イベントアクションテーブル２１０の内容を更新する場合、イベント更新要求をユーザインタフェースに入力する。なお、イベント更新要求は、イベントアクションテーブル２１０のレコードの登録、変更又は削除の要求である。
【００８４】
ユーザインタフェースは、入力されたイベント更新要求をイベントアクション登録インタフェース２０２に送る。イベントアクション登録インタフェース２０２は、受け取ったイベント更新要求に基づいて、イベントアクションテーブル２１０を更新する。
【００８５】
センシングデータ検出部２０５は、名札型ノード１００が測定した情報（センサデータ）を、基地局３００から受信し、イベントアクション検索部２０６に送る。
【００８６】
イベントアクション検索部２０６は、受け取ったセンサデータから、当該センサデータの送信元の名札型ノード１００を判定する。次に、判定した名札型ノード１００の識別子とイベントアクションテーブル２１０のノードＩＤ２１０１とが一致するレコードが、イベントアクションテーブル２１０に存在するか否かを判定する。これによって、当該名札型ノード１００に関するイベントが、イベントアクションテーブル２１０に存在するか否かを判定する。そして、イベントアクションテーブル２１０に存在すると、受け取ったセンサデータをイベント条件判定部２０４に送る。
【００８７】
イベント条件判定部２０４は、受け取ったセンサデータがイベントアクションテーブル２１０のイベント内容２１０２及び条件２１０３を満たすか否かを判定する。そして、イベント内容２１０２及び条件２１０３を満たすと、これらを満たしたレコードからアクション２１０４を抽出する。そして、抽出したアクション２１０４を、アクション実行部２０３に通知する。
【００８８】
アクション実行部２０３は、通知されたアクション２１０４を実行する。
【００８９】
以上のように、イベントアクション制御部２０１は、受信したセンサデータに対応する処理を実行する。イベントアクション制御部２０１が、様々な処理を実行することによって、多様なユビキタスアプリケーションを実現できる。
【００９０】
次に、名札型ノード１００をコミュニケーションツールとして使用する場合の処理について説明する。
【００９１】
図１１は、本発明の第１の実施の形態のセンサネットシステムのメッセージ送受信処理のシーケンス図である。
【００９２】
管理ユーザは、名札型ノード１００のユーザに対するメッセージを、サーバ２００に入力する。また、管理ユーザは、サーバ２００に予め登録されているメッセージの中から、名札型ノード１００に送信するメッセージを選択してもよい。ここでは、メッセージを、名札型ノード１００のユーザに対する質問メッセージとする。
【００９３】
サーバ２００は、管理ユーザから入力された情報に基づいて、質問メッセージを生成する（５１１）。このとき、サーバ２００は、送信先の名札型ノード１００のノードＩＤを質問メッセージに含めることによって、当該質問メッセージの宛先を指定する。
【００９４】
次に、サーバ２００は、所定のタイミングで、生成した質問メッセージを基地局３００に送信する（５１２）。なお、所定のタイミングとは、ユーザから送信要求を受けたとき、一定時間の経過時又は条件イベントの発生時等である。
【００９５】
すると、基地局３００は、サーバ２００から質問メッセージを受信する。そして、基地局３００は、受信した質問メッセージを保持しておく。
【００９６】
一方、名札型ノード１００は、所定の周期で、マイコン１１６を起動する（５１３）。なお、名札型ノード１００は、ユーザから情報が入力されたときにも、マイコン１１６を起動する。
【００９７】
次に、名札型ノード１００は、センサ１１７を用いて、各種情報を測定（センシング）する（５１４）。
【００９８】
次に、名札型ノード１００は、自身宛てのメッセージを基地局３００が保持しているか否かを基地局３００に無線で問い合わせる（５１５）。
【００９９】
基地局３００は、名札型ノード１００から問い合わせを受けると、当該名札型ノード１００宛てのメッセージを保持しているか否かを判定する。
【０１００】
基地局３００は、当該名札型ノード１００宛てのメッセージを保持していなければ、その旨を名札型ノード１００に通知する。
【０１０１】
一方、基地局３００は、当該名札型ノード１００宛てのメッセージを保持していれば、当該メッセージを名札型ノード１００に送信する。
【０１０２】
すると、名札型ノード１００は、基地局３００から質問メッセージを受信する（５１６）。
【０１０３】
そして、名札型ノード１００は、質問メッセージを受信すると、ＬＥＤ１０３を一定時間点灯する。同時に、ブザー１１１を一定時間鳴らす（５１７）。これによって、名札型ノード１００は、ユーザにメッセージの受信を通知する。
【０１０４】
次に、名札型ノード１００は、受信した質問メッセージをＬＣＤ１０７に表示する。
【０１０５】
すると、ユーザは、表示された質問メッセージに対する回答を名札型ノード１００に入力する。なお、ユーザは、名札型ノード１００に予め登録されている回答メッセージの中から、サーバ２００に返信する回答メッセージを選択してもよい。
【０１０６】
すると、名札型ノード１００は、ユーザから入力された情報に基づいて、回答メッセージを生成する。次に、生成した回答メッセージを、基地局３００に送信する（５１９）。
【０１０７】
次に、名札型ノード１００は、ＬＣＤ１０７の表示をオフにする（５２１）。そして、名札型ノード１００は、マイコン１１６をスリープ状態にする（５２２）。
【０１０８】
一方、基地局３００は、名札型ノード１００から回答メッセージを受信する。そして、受信した回答メッセージを、サーバ２００に転送する。
【０１０９】
サーバ２００は、基地局３００から回答メッセージを受信する（５２０）。
【０１１０】
以上のように、サーバ２００は、質問メッセージに対する回答メッセージを名札型ノード１００から受信する。
【０１１１】
図１２は、本発明の第１の実施の形態の名札型ノード１００のメッセージ送信処理のシーケンス図である。
【０１１２】
名札型ノード１００は、所定の周期で、マイコン１１６を起動する（５０１）。なお、名札型ノード１００は、ユーザから情報が入力されたときにも、マイコン１１６を起動する。
【０１１３】
次に、名札型ノード１００は、ＬＣＤ１０７の表示をオンにする（５０２）。次に、名札型ノード１００は、センサ１１７を用いて、各種情報を測定（センシング）する（５０３）。
【０１１４】
ユーザは、管理ユーザに対するメッセージを名札型ノード１００に入力する。ここでは、ユーザが管理ユーザに対する質問を入力したとする。なお、ユーザは、名札型ノード１００に予め登録されている質問メッセージの中から、サーバ２００に送信する質問メッセージを選択してもよい。
【０１１５】
名札型ノード１００は、ユーザから入力された情報に基づいて、質問メッセージを生成する（５０４）。次に、名札型ノード１００は、生成した質問メッセージを基地局３００に送信する（５０５）。
【０１１６】
次に、名札型ノード１００は、ＬＣＤ１０７の表示をオフにする（５０７）。そして、名札型ノード１００は、マイコン１１６をスリープ状態にする（５０８）。
【０１１７】
一方、基地局３００は、名札型ノード１００から質問メッセージを受信する。そして、受信した質問メッセージを、サーバ２００に転送する。
【０１１８】
サーバ２００は、基地局３００から質問メッセージを受信する（５０６）。
【０１１９】
以上のように、名札型ノード１００は、メッセージをサーバ２００に送信する。
【０１２０】
図１３は、本発明の第１の実施の形態の名札型ノード１００間のメッセージ送受信処理のシーケンス図である。
【０１２１】
本説明図は、名札型ノードＡ１００から名札型ノードＢ１００へ質問を送信する場合である。
【０１２２】
名札型ノードＡ１００は、所定の周期で、マイコン１１６を起動する（５３１）。なお、名札型ノードＡ１００は、ユーザから情報が入力されたときにも、マイコン１１６を起動する。
【０１２３】
次に、名札型ノードＡ１００は、ＬＣＤ１０７の表示をオンにする（５３２）。次に、名札型ノードＡ１００は、センサ１１７を用いて、各種情報を測定（センシング）する（５３３）。
【０１２４】
ユーザは、名札型ノードＢ１００のユーザに対する質問を名札型ノードＡ１００に入力する。なお、ユーザは、名札型ノードＡ１００に予め登録されている質問メッセージの中から、名札型ノードＢ１００に送信する質問メッセージを選択してもよい。
【０１２５】
名札型ノードＡ１００は、ユーザから入力された情報に基づいて、質問メッセージを生成する（５３４）。次に、名札型ノードＡ１００は、生成した質問メッセージを基地局３００に送信する（５３５）。
【０１２６】
次に、名札型ノードＡ１００は、ＬＣＤ１０７の表示をオフにする（５３６）。そして、名札型ノードＡ１００は、マイコン１１６をスリープ状態にする（５３７）。
【０１２７】
一方、基地局３００は、名札型ノードＡ１００から質問メッセージを受信する。そして、受信した質問メッセージを、サーバ２００に転送する。
【０１２８】
サーバ２００は、基地局３００から質問メッセージを受信する。次に、受信した質問メッセージの宛先を判定する。ここでは、質問メッセージの宛先を名札型ノードＢ１００と判定する。次に、判定した名札型ノードＢ１００と通信する基地局３００を検索する（５３８）。
【０１２９】
次に、検索した基地局３００に質問メッセージを転送する（５３９）。
【０１３０】
すると、基地局３００は、サーバ２００から質問メッセージを受信する。そして、基地局３００は、受信した質問メッセージを保持しておく。
【０１３１】
一方、名札型ノードＢ１００は、所定の周期で、マイコン１１６を起動する（５４０）。なお、名札型ノードＢ１００は、ユーザから情報が入力されたときにも、マイコン１１６を起動する。
【０１３２】
次に、名札型ノードＢ１００は、センサ１１７を用いて、各種情報を測定（センシング）する（５４１）。
【０１３３】
次に、名札型ノードＢ１００は、自身宛てのメッセージを基地局３００が保持しているか否かを基地局３００に無線で問い合わせる（５４２）。
【０１３４】
基地局３００は、名札型ノードＢ１００から問い合わせを受けると、当該名札型ノードＢ１００宛てのメッセージを保持しているか否かを判定する。
【０１３５】
基地局３００は、当該名札型ノードＢ１００宛てのメッセージを保持していなければ、その旨を名札型ノードＢ１００に通知する。
【０１３６】
一方、基地局３００は、当該名札型ノードＢ１００宛てのメッセージを保持していれば、当該メッセージを名札型ノードＢ１００に送信する。
【０１３７】
すると、名札型ノードＢ１００は、基地局３００から質問メッセージを受信する（５４３）。
【０１３８】
そして、名札型ノードＢ１００は、質問メッセージを受信すると、ＬＥＤ１０３を一定時間点灯する。同時に、ブザー１１１を一定時間鳴らす。これによって、名札型ノードＢ１００は、ユーザにメッセージの受信を通知する。
【０１３９】
次に、名札型ノードＢ１００は、受信した質問メッセージをＬＣＤ１０７に表示する（５４４）。
【０１４０】
ユーザは、表示された質問メッセージに対する回答を名札型ノードＢ１００に入力する。なお、ユーザは、名札型ノードＢ１００に予め登録されている回答メッセージの中から、名札型ノードＡ１００に返信する回答メッセージを選択してもよい。
【０１４１】
すると、名札型ノードＢ１００は、ユーザから入力された情報に基づいて、回答メッセージを生成する。次に、生成した回答メッセージを、基地局３００に送信する（５４５）。
【０１４２】
次に、名札型ノードＢ１００は、ＬＣＤ１０７の表示をオフにする（５４６）。そして、名札型ノードＢ１００は、マイコン１１６をスリープ状態にする（５４７）。
【０１４３】
一方、基地局３００は、名札型ノードＢ１００から回答メッセージを受信する。そして、受信した回答メッセージを、サーバ２００に転送する。
【０１４４】
サーバ２００は、基地局３００から回答メッセージを受信する。次に、受信した回答メッセージの宛先を判定する。ここでは、回答メッセージの宛先を名札型ノードＡ１００と判定する。次に、判定した名札型ノードＡ１００と通信する基地局３００を検索する（５４８）。
【０１４５】
次に、検索した基地局３００に回答メッセージを転送する（５４９）。
【０１４６】
すると、基地局３００は、サーバ２００から回答メッセージを受信する。そして、基地局３００は、受信した回答メッセージを保持しておく。
【０１４７】
一方、名札型ノードＡ１００は、所定の周期で、マイコン１１６を起動する（５５０）。なお、名札型ノードＡ１００は、ユーザから情報が入力されたときにも、マイコン１１６を起動する。
【０１４８】
次に、名札型ノードＡ１００は、センサ１１７を用いて、各種情報を測定（センシング）する（５５１）。
【０１４９】
次に、名札型ノードＡ１００は、自身宛てのメッセージを基地局３００が保持しているか否かを基地局３００に無線で問い合わせる（５５２）。
【０１５０】
基地局３００は、名札型ノードＡ１００から問い合わせを受けると、当該名札型ノードＡ１００宛てのメッセージを保持しているか否かを判定する。
【０１５１】
基地局３００は、当該名札型ノードＡ１００宛てのメッセージを保持していなければ、その旨を名札型ノードＡ１００に通知する。
【０１５２】
一方、基地局３００は、当該名札型ノードＡ１００宛てのメッセージを保持していれば、当該メッセージを名札型ノードＡ１００に送信する。
【０１５３】
すると、名札型ノードＡ１００は、基地局３００から回答メッセージを受信する（５５３）。
【０１５４】
そして、名札型ノードＡ１００は、回答メッセージを受信すると、ＬＥＤ１０３を一定時間点灯する。同時に、ブザー１１１を一定時間鳴らす（５５４）。これによって、名札型ノードＡ１００は、ユーザにメッセージの受信を通知する。
【０１５５】
次に、名札型ノードＡ１００は、受信した質問メッセージをＬＣＤ１０７に表示する（５５５）。
【０１５６】
名札型ノードＡ１００は、所定の時間経過後に、ＬＣＤ１０７の表示をオフにする（５５６）。なお、名札型ノードＡ１００は、ユーザによってメッセージ確認操作が行われたときにも、ＬＣＤ１０７の表示をオフにする。
【０１５７】
そして、名札型ノードＡ１００は、マイコン１１６をスリープ状態にする（５４７）。
【０１５８】
以上のように、名札ノード１００の間でメッセージを送受信できる。
【０１５９】
（第２の実施の形態）
本発明の第２の実施の形態は、名札型ノード１００を用いて入退出管理を行う。
【０１６０】
図１４は、本発明の第２の実施の形態のセンサネットシステムのブロック図である。
【０１６１】
センサネットシステムは、名札型ノード１００、サーバ２００、基地局３００、受信機４００及びネットワーク６００を含む。
【０１６２】
受信機４００は、ネットワーク６００を介してサーバ２００に接続されている。受信機４００は、周囲の電波を監視する。そして、受信器４００は、名札型ノード１００が発信した電波を検出すると、当該名札型ノード１００のノードＩＤをサーバ２００に通知する。これによって、サーバ２００は、当該名札型ノード１００が当該受信機４００の近傍に存在することが分かる。
【０１６３】
なお、受信機４００は、電波の検出感度を基地局３００より弱くしておく。これによって、受信機４００は、近くの名札型ノード１００の電波のみを検出する。
【０１６４】
名札型ノード１００、サーバ２００、基地局３００及びネットワーク６００は、第１の実施の形態のセンサネットシステム（図１）の構成と同一なので説明を省略する。
【０１６５】
図１５は、本発明の第２の実施の形態のセンサネットシステムを設置した場合の説明図である。
【０１６６】
センサネットシステムを設置した区域は、廊下９１５、部屋Ａ９１４及び部屋Ｂ９１３を含む。部屋Ａ９１４の廊下９１５側には、ドアＡ９１２及び受信機Ａ４００が設置されている。また、部屋Ｂ９１３の廊下９１５側には、ドアＢ９１１及び受信機Ｂ４００が設置されている。また、廊下９１５には、基地局３００が設置されている。
【０１６７】
名札型ノード１００を備えるユーザが、このような区域を移動する場合を説明する。名札型ノード１００と基地局３００とは、第１の実施の形態で説明したような通常の通信を行う。
【０１６８】
このとき、名札型ノード１００の近くの受信機Ｂ４００は、名札型ノード１００の発信した電波を検出する。次に、当該受信機Ｂ４００は、検出した電波から、当該電波の発信元の名札型ノード１００を判定する。次に、判定した名札型ノード１００のノードＩＤをサーバ２００に通知する。
【０１６９】
なお、受信機Ｂ４００は、検出した電波の強度を測定し、測定した強度をサーバ２００に通知してもよい。これによって、サーバ２００は、当該名札型ノード１００の高精度な位置を検出できる。
【０１７０】
サーバ２００は、入室管理情報に基づいて、当該名札型ノード１００のユーザの入室を許可するか否かを判定する。入出許可と判定すると、その旨を受信機Ｂ４００に通知する。
【０１７１】
受信機Ｂ４００は、入出許可の通知をサーバ２００から受けると、ドア９１１を開錠する。更に、受信機Ｂ４００は、ドア９１１が自動的に開くように制御してもよい。
【０１７２】
以上のように、本実施の形態のセンサネットシステムは、ユーザの入退室管理を行うことができる。
【０１７３】
なお、本実施の形態の名札型ノード１００は、間欠動作を行なっている。そのため、名札型ノード１００がスリープ状態であると、受信機４００は、名札型ノード１００の電波を検出できない。
【０１７４】
そこで、名札型ノード１００は、基地局３００との通信を始めると、動作間隔を短くする。また、名札型ノード１００は、操作スイッチ１０８を操作されると、センサデータを基地局３００に送信してもよい。
【０１７５】
図１６は、本発明の第２の実施の形態のセンサネットシステムの位置検出処理のシーケンス図である。
【０１７６】
本説明図では、名札型ノード１００のユーザが、受信機Ａ４００の近くから受信機Ｂ４００の近くへ移動する。
【０１７７】
まず、名札型ノード１００のユーザが、受信機Ａ４００の近くに移動する。
【０１７８】
このとき、名札型ノード１００は、所定の周期で、マイコン１１６を起動する（５６１）。なお、名札型ノード１００は、ユーザから情報が入力されたときにも、マイコン１１６を起動する。
【０１７９】
次に、名札型ノード１００は、ＬＣＤ１０７の表示をオンにする（５６２）。次に、名札型ノード１００は、センサ１１７を用いて、各種情報を測定（センシング）する（５６３）。
【０１８０】
次に、名札型ノード１００は、測定した情報（センサデータ）を基地局３００に送信する（５６４）。
【０１８１】
次に、名札型ノード１００は、ＬＣＤ１０７の表示をオフにする（５６５）。そして、名札型ノード１００は、マイコン１１６をスリープ状態にする（５６６）。
【０１８２】
一方、基地局３００は、名札型ノード１００からセンサデータを受信する。そして、受信したセンサデータを、サーバ２００に転送する。
【０１８３】
サーバ２００は、基地局３００からセンサデータを受信する（５６７）。
【０１８４】
このとき、名札型ノード１００の近傍の受信機Ａ４００は、名札型ノード１００が送信したセンサデータの電波を検出する（５６８）。
【０１８５】
すると、受信機Ａ４００は、検出した電波から、当該電波を発信した名札型ノード１００を判定する。そして、判定した名札型ノード１００のノードＩＤ及び自身の受信機ＩＤをサーバ２００に送信する（５６９）。
【０１８６】
すると、サーバ２００は、ノードＩＤ及び受信機ＩＤを受信機Ａ４００から受信する。そして、受信したノードＩＤ及び受信機ＩＤに基づいて、名札型ノード１００の位置を判定する（５７０）。具体的には、サーバ２００は、受信した受信機ＩＤに対応する受信機Ａ４００の近傍に名札型ノード１００が存在すると判定する。
【０１８７】
次に、名札型ノード１００のユーザが、受信機Ｂ４００の近傍に移動する。
【０１８８】
このとき、名札型ノード１００は、所定の周期で、マイコン１１６を起動する（５７１）。なお、名札型ノード１００は、ユーザから情報が入力されたときにも、マイコン１１６を起動する。
【０１８９】
次に、名札型ノード１００は、ＬＣＤ１０７の表示をオンにする（５７２）。次に、名札型ノード１００は、センサ１１７を用いて、各種情報を測定（センシング）する（５７３）。
【０１９０】
次に、名札型ノード１００は、測定した情報（センサデータ）を基地局３００に送信する（５７４）。
【０１９１】
次に、名札型ノード１００は、ＬＣＤ１０７の表示をオフにする（５７５）。そして、名札型ノード１００は、マイコン１１６をスリープ状態にする（５７６）。
【０１９２】
一方、基地局３００は、名札型ノード１００からセンサデータを受信する。そして、受信したセンサデータを、サーバ２００に転送する。
【０１９３】
サーバ２００は、基地局３００からセンサデータを受信する（５７７）。
【０１９４】
このとき、名札型ノード１００の近傍の受信機Ｂ４００は、名札型ノード１００が送信したセンサデータの電波を検出する（５７８）。
【０１９５】
すると、受信機Ｂ４００は、検出した電波から、当該電波を発信した名札型ノード１００を判定する。そして、判定した名札型ノード１００のノードＩＤ及び自身の受信機ＩＤをサーバ２００に送信する（５７９）。
【０１９６】
すると、サーバ２００は、ノードＩＤ及び受信機ＩＤを受信機Ｂ４００から受信する。そして、受信したノードＩＤ及び受信機ＩＤに基づいて、名札型ノード１００の位置を判定する（５８０）。具体的には、サーバ２００は、受信した受信機ＩＤに対応する受信機Ｂ４００の近傍に名札型ノード１００が存在すると判定する。
【０１９７】
以上のように、本実施の形態のセンサネットシステムは、受信機を備えることによって、名札型ノードの位置を判定できる。よって、本実施の形態のセンサネットシステムは、入退室管理だけでなく、動体監視などにも適用できる。
【産業上の利用可能性】
【０１９８】
本発明は、展示会場、講演会場、会社、病院又は公的施設などで携帯される名札として利用できる。
【図面の簡単な説明】
【０１９９】
【図１】本発明の第１の実施の形態のセンサネットシステムのブロック図である。
【図２】本発明の第１の実施の形態の名札型ノードのブロック図である。
【図３Ａ】本発明の第１の実施の形態の名札型ノードの正面図である。
【図３Ｂ】本発明の第１の実施の形態の名札型ノードの背面図である。
【図４】本発明の第１の実施の形態の名札型ノードの側面図である。
【図５】本発明の第１の実施の形態の名札型ノードの側面図である。
【図６】本発明の第１の実施の形態の名札型ノードの説明図である。
【図７】本発明の第１の実施の形態の名札型ノードの電力の説明図である。
【図８】本発明の第１の実施の形態の名札型ノードの電力の説明図である。
【図９】本発明の第１の実施の形態のサーバのイベントアクション制御部のブロック図である。
【図１０】本発明の第１の実施の形態のイベントアクションテーブルの構成図である。
【図１１】本発明の第１の実施の形態のセンサネットシステムのメッセージ送受信処理のシーケンス図である。
【図１２】本発明の第１の実施の形態の名札型ノードのメッセージ送信処理のシーケンス図である。
【図１３】本発明の第１の実施の形態の名札型ノード間のメッセージ送受信処理のシーケンス図である。
【図１４】本発明の第２の実施の形態のセンサネットシステムのブロック図である。
【図１５】本発明の第２の実施の形態のセンサネットシステムを設置した場合の説明図である。
【図１６】本発明の第２の実施の形態のセンサネットシステムの位置検出処理のシーケンス図である。
【符号の説明】
【０２００】
１００  名札型ノード
１０２  太陽電池
１０３  ＬＥＤ
１０５  ＲＦ基板
１０６  アンテナ
１０７  ＬＣＤ
１１２  二次電池
１１５  充電端子
１１６  マイコン
１１７  センサ
１１８  ダイオード
１１９  過充電防止回路
１２０  過放電防止回路
１２１  レギュレータ
１２２  分圧回路
２００  サーバ
２０１  イベントアクション制御部
２０２  イベントアクション登録インタフェース
２０３  アクション実行部
２０４  イベント条件判定部
２０５  センシングデータ検出部
２０６  イベントアクション検索部
２１０  イベントアクションテーブル
３００  基地局
４００  受信機
６００  ネットワーク
【図１】
2007020051.tif 000003
【図２】
2007020051.tif 000004
【図３Ａ】
2007020051.tif 000005
【図３Ｂ】
2007020051.tif 000006
【図４】
2007020051.tif 000007
【図５】
2007020051.tif 000008
【図６】
2007020051.tif 000009
【図７】
2007020051.tif 000010
【図８】
2007020051.tif 000011
【図９】
2007020051.tif 000012
【図１０】
2007020051.tif 000013
【図１１】
2007020051.tif 000014
【図１２】
2007020051.tif 000015
【図１３】
2007020051.tif 000016
【図１４】
2007020051.tif 000017
【図１５】
2007020051.tif 000018
【図１６】
2007020051.tif 000019